(57)【要約】【課題】従来の複数の札入部を有する財布では、仕切があるもののお札等を平行した状態にお札等を入れるための一目での判別が難しい。また、三つであるが長財布の縦辺を延長した三折財布であるために、大きすぎてズボンのポケット等に収納できない。従来の二折財布の場合、内面に辺があるものの、カード入れと小銭入に主題を置いたものであり、多品種の札入には適さない。【解決手段】本発明は横長の形状で、前面側へ長手方向に二折にされ、長辺側に出入口が設けられた札入部を備えた二折財布において、前記札入部本体内部の略中央部分にＴ字型の仕切片を立設し、３個所に紙幣等の収納部を設けた二折財布である。【選択図】図１
2009291583.tif 000002
【特許請求の範囲】
【請求項１】
横長の形状で、前面側へ長手方向に二折にされ、長辺側に出入口が設けられた札入部を備えた二折財布において、前記札入部の本体内部の略中央部分にＴ字型になるように仕切片を立設し、３個所に紙幣等の収納部を設けた二折財布。
【請求項２】
前記Ｔ字型の仕切片の立設された部分が一重である請求項１記載の二折財布。
【請求項３】
前記Ｔ字型の仕切片の立設された部分が二重である請求項１記載の二折財布。
【請求項４】
前記Ｔ字型の仕切片を設けた前記札入部の本体外部にポケットを設けた請求項１記載の二折財布。
【発明の詳細な説明】
【技術分野】
【０００１】二折財布に関するものである。
【背景技術】
【０００２】財布本体の札入収納部を平行な仕切で区切って多種類の紙幣や伝票等を仕分けして多量に収納できる札入を提供する財布がある。
（例えば、特許文献１参照）。【０００３】財布本体の札入収納部を平行な仕切で区切って多種類の紙幣や伝票等を仕分けして多量に収納できる札入を提供する財布で、かつ、硬貨と紙幣を同時に収納でき、硬貨と紙幣が完全にそれぞれ別の収納部分に収納でき、かつ容易に貨幣と紙幣を取り出せる機能を持たせた、長財布の袋状硬貨紙幣同時収納式三折財布がある。
（例えば、特許文献２参照）。【０００４】二折財布の側に小銭入を立設して、その小銭入の外側に多種類のカードを多数枚まで格納できるようにした新規の財布がある。
（例えば、特許文献３参照）。
【特許文献１】実用新案登録第３０７０２１４号公報
【特許文献２】実用新案登録第３００３１８５号公報
【特許文献３】実用新案登録第３０３１６８０号公報
【発明の開示】
【発明が解決しようとする課題】
【０００５】前述の特許文献１（実用新案登録第３０７０２１４号）に記載の財布の場合、財布に平行した仕切があるもの、お札等を平行した状態に入れるための一目での判別が難しい。【０００６】前述の特許文献２（実用新案登録第３００３１８５号）に記載の袋状硬貨紙幣同時収納式三折財布の場合、財布に平行な仕切があるものの、お札等が平行した状態にお札等を入れるための一目での判別が難しい。また、三折であるが長財布の縦辺を延長した三折財布であるために、大きすぎてズボンのポケット等に収納が難しい。【０００７】前述の特許文献３（実用新案登録第３０３１６８０号）に記載の財布の場合  二折財布の内面に片があるものの、カード入れと小銭入に主題を置いたものであり、多品種の札には適さない。
【課題を解決するための手段】
【０００８】本発明は上記の課題を解決するため、横長の形状で、前面側へ長手方向に二折にされ、長辺側に出入口が設けられた札入部を備えた二折財布において、前記札入部の本体内部の略中央部分にＴ字型の仕切片を立設し、３個所に紙幣等の収納部を設けた二折財布を提供する。
なお、前記Ｔ字型の立設された仕切片は一重であっても二重であっても良い。又、前記Ｔ字型の仕切片を設けた前記札入部の本体外部にポケットを設けても良い。
【発明の効果】
【０００９】  本発明は横長の形状で、前面側へ長手方向に二折にされ、長辺側に出入口が設けられた札入部を備えた二折財布において、前記札入部本体内部の略中央部分にＴ字型の仕切片を立設し、紙幣等の収納部を設けた二折財布であるから、一目で判別できる独立した札入部が３個所ある二折財布となる。【００１０】上記のようにひとつの二折財布で３箇所に紙幣等の収納部を持っているので多国の紙幣を分別して収納でき、かつ二折財布のため男性のズボンのポケットに極端に飛び出ずに入るので、盗難防止にもつながる二折財布となる。【００１１】Ｔ字型の立設された仕切片を二重にすることにより新たなポケットを  その二重の間に作ることができる。【００１２】さらに、Ｔ字型の仕切片を立設しているので、札入部の本体外部にも多数のポケットを作れる二折財布ができる。
【発明を実施するための最良の形態】
【００１３】以下、本発明の実施の形態を  実施例となる図１〜図５を参照しながら説明する。
本発明の二折財布１，１２は、横長の形状で、前面側へ長手方向に二折にされ、長辺側に出入口が設けられた札入部３を備えた二折財布１，１２である。前記札入部３本体内部の略中央部分にＴ字型の仕切片５，７を立設し、３個所に紙幣等の札入部２，３，４を設けている。【００１４】Ｔ字型の仕切片５，７の立設された部分は図１に示す様に一重７であっても良いし、又、図２に示す様に二重５であっても良い。図２に示す様に二重にすることによりポケット１３を作ることができる。【００１５】Ｔ字型の仕切片５，７を設けた前項札入部２，４の本体外部６に図３に示す様に複数段ポケット８を設けても良い。【００１６】二折財布本体を折りたたみ、左側から開いた場合の表紙裏に当たる部分に複数段のポケット１１を作ることもできる。（図３を参照）
同様に右側から開いた場合の裏表紙裏には小銭入部１０を設けることもできる。
ポケット１１と小銭入部１０の場所は逆でもよく、また、併設でも作ることができる。（図４を参照）
【実施例１】
【００１７】図１に示した本発明の実施例となる二折財布１の寸法は、折りたたんだ状態で縦８ｃｍから１１ｃｍ、横１０ｍから１４ｃｍ、厚さ０．５ｃｍから５ｃｍ以内である。開いた状態で寸法は、縦８ｃｍから１１ｃｍ、横２０ｃｍから２８ｃｍ、厚さ０．２ｃｍから１４ｃｍ以内である。
その材質は本皮・合皮（ポリ塩化ビニール／ＰＶＣ・ポリウレタン／ＰＵ）・ナイロン・ポリエチレン・ポリプロピレン・綿・木綿・紙などが用いられる。図１に示したこの例では、合皮を用いた。又、略中央部分に設けられるＴ字型の仕切片７の材質は、本体同様本皮・合皮（ポリ塩化ビニール／ＰＶＣ・ポリウレタン／ＰＵ）・ナイロン・ポリエチレン・ポリプロピレン・綿・木綿・紙などが用いられ、本体と同一の材質であっても、違った材質を用いてＴ字型の仕切片７としても良い。【００１８】この実施例１では、本体と同様の合皮を用いた。なお、Ｔ字型の仕切片７は一重であり、寸法は縦８ｃｍから１１ｃｍ、横１０ｍから１４ｃｍ、厚さ０．２ｃｍから３ｃｍ程度である。財布１は通常の縫製により作られている。
【実施例２】
【００１９】図２に示した本発明の他の実施例となる二折財布１２の寸法や材質は実施例１と同様の範囲である。
なお、この実施例２では、本体と同様の合皮を用いた。Ｔ字型の仕切片５は二重であり、寸法は縦８ｃｍから１１ｃｍ、横１０ｍから１４ｃｍ、厚さ０．３ｃｍから３ｃｍ程度であり、ポケット１３を設けた。財布１２は通常の縫製により作られている。【００２０】図５は本発明の完成例となる二折財布１を折りたたんだ状態９を示している。
【図面の簡単な説明】
【００２１】
【図１】本発明の財布の札入部を開いて上方から見た実施例１の斜視図である。
【図２】本発明の財布の増えた札入部を開いて上方から見た実施例２となる斜視図である。
【図３】本発明の財布の増えた札入ポケット部分を開いた状態を  仕切片を右側にして前方より見た実施例１の正面図である。
【図４】本発明の財布の増えた札入ポケット部分を開いた状態を  仕切片を左側にして前方より見た実施例１の正面図である。
【図５】本発明の完成例となる財布を左側に折りたたんだ正面図である。
【符号の説明】
【００２２】    １  仕切片が一重である二折財布
２  札入部
３  札入部
４  札入部
５  二重の仕切片
６  札入部本体外部
７  一重の仕切片
８  札入部本体外部に設けられたポケット部
９  二折財布の折りたたんだ側面部
１０  小銭入部
１１  ポケット部
１２  仕切片が二重である二折財布
１３  仕切片が二重である部分に作るポケット
【図１】
2009291583.tif 000003
【図２】
2009291583.tif 000004
【図３】
2009291583.tif 000005
【図４】
2009291583.tif 000006
【図５】
2009291583.tif 000007